(57)【要約】【課題】規定位置に印刷する技術を提供する。【解決手段】実施形態の消去装置は、読取部と、印刷部と、搬送部と、制御部とを有する。読取部は、シートに形成されている像を読み取る。印刷部は、色材を出力する複数のノズルを有し、シートに、事前に定義されているマークまたは機械読取り可能な形式のコード像のいずれかを印刷する。搬送部は、読取部、印刷部の順にシートを搬送する。制御部は、読取部で読み取られたシート画像に基づき、搬送路で生ずるシートのズレ量を検出し、ズレ量に基づき、印刷部のいずれのノズルで色材を出力するかを選定し、選定したノズルで印刷を行うように印刷部を制御する。【選択図】図１
2015004776.tif 000002
【特許請求の範囲】
【請求項１】
シートに形成されている像を読み取る読取部と、
色材を出力する複数のノズルを有し、前記シートに、事前に定義されているマークまたは機械読取り可能な形式のコード像のいずれかを印刷する印刷部と、
前記読取部、前記印刷部の順にシートを搬送する搬送部と、
前記読取部で読み取られたシート画像に基づき、前記搬送路で生ずるシートのズレ量を検出し、該ズレ量に基づき、前記印刷部のいずれのノズルで色材を出力するかを選定し、選定したノズルで印刷を行うように前記印刷部を制御する制御部と、
を有する消去装置。
【請求項２】
請求項１に記載の消色装置において、
前記制御部は、前記読取部で読取られたシート画像からシート端部を抽出し、該シート端部の画像上の位置に基づき、前記ズレ量を検出する
消去装置。
【請求項３】
請求項１または２に記載の消色装置において、
前記制御部は、前記読取部で読取られたシート像から、既存のマークまたは既存のコード像を抽出し、抽出された前記既存のマークまたは前記既存のコード像の画像上の位置に基づき、前記ズレ量を検出する
消去装置。
【請求項４】
請求項１乃至３のいずれか１つに記載の消色装置において、
前記印刷部の複数のノズルは、前記搬送路のシート搬送方向と直交方向に整列しており、
前記制御部は、前記複数のノズルの中から、連続して連なっている複数ノズルを色材出力ノズルとして選定し、搬送されるシートが、前記直交方向において一方に寄っている場合、前記連なりを維持しながら前記一方にシフトしたノズルを選定する
消去装置。
【請求項５】
色材を出力する複数のノズルを有する印刷部が、事前に定義されているマーク、または機械読取り可能な形式のコード像のいずれかをシートに印刷する処理を実行させるためのプログラムであり、
シートを撮像した画像を取得し、
前記画像に基づき、シート搬送によって生ずるシートのズレ量を検出し、該ズレ量に基づき、前記印刷部のいずれのノズルで色材を出力するかを選定し、選定したノズルで印刷を行うように前記印刷部を制御する
処理を、記憶装置と演算装置とを有する装置に実行させるためのプログラム。
【発明の詳細な説明】
【技術分野】
【０００１】
この明細書に記載の実施形態は、消色可能な色材で画像形成されたシートに対し、消色処理を行うことで画像を消去する消色装置（消去装置）に関する。
【背景技術】
【０００２】
消色可能色材で画像が形成されているシートを、消色可能温度で加熱することで像を消去する消色装置がある。この消色装置を用いて、シート上に形成された像を消去し、シートの再利用を図ることができる。
【０００３】
同じシートを複数回使用すると、消去しきれず像が残り、視認性が悪くなる。よって消色装置には、像の消去を行う度に消去回数を示すマークをシート余白に印刷し、このマークが所定数以上となると、再利用不可シートとして扱い、所定のトレイに搬送するものがある。
【発明の概要】
【発明が解決しようとする課題】
【０００４】
シート搬送のずれにより、上記マークの印刷が規定位置から外れたり、シート外に外れて搬送路に印刷したりする。これにより、マークの誤検知を起こしたり、次に搬送されるシートなどを汚したりする。
【０００５】
実施形態は上述した問題点を解決するためになされたものであり、規定位置に印刷する技術を提供することを目的とする。
【課題を解決するための手段】
【０００６】
実施形態の消去装置は、読取部と、印刷部と、搬送部と、制御部とを有する。読取部は、シートに形成されている像を読み取る。印刷部は、色材を出力する複数のノズルを有し、シートに、事前に定義されているマークまたは機械読取り可能な形式のコード像のいずれかを印刷する。搬送部は、読取部、印刷部の順にシートを搬送する。制御部は、読取部で読み取られたシート画像に基づき、搬送路で生ずるシートのズレ量を検出し、ズレ量に基づき、印刷部のいずれのノズルで色材を出力するかを選定し、選定したノズルで印刷を行うように印刷部を制御する。
【図面の簡単な説明】
【０００７】
【図１】実施形態の消色装置のハードウェア構成例を示す図である。
【図２】シートが規定位置に搬送される場合の、シートとマーク印刷部との位置関係の一例を示す図である。
【図３】図２の状態で搬送される場合の実施形態の色材出力ノズルの位置を示す図である。
【図４】シートが装置リア側にずれて搬送される場合の、シートとマーク印刷部との位置関係の一例を示す図である。
【図５】図４の状態で搬送される場合の実施形態の色材出力ノズルの位置を示す図である。
【図６】シートが装置フロント側にずれて搬送される場合の、シートとマーク印刷部との位置関係の一例を示す図である。
【図７】図６の状態で搬送される場合の実施形態の色材出力ノズルの位置を示す図である。
【図８】実施形態のマーク印刷時の動作例を示すフローチャートである。
【発明を実施するための形態】
【０００８】
実施形態の消色装置は、読取部で読み取った画像に基づき、搬送シートが基準からどの程度ずれているかを判定する。実施形態の消色装置は、ズレ量に応じて、マークを印刷するノズルの位置をシフトさせる。尚、ズレ量とは、本実施形態では予め定められた基準位置と実際のシート搬送時の位置との差分の量であるものとする。
【０００９】
実施形態の消色装置は、消色処理を行う度に、シート余白部に消色回数を示す矩形マークを印刷する。このマークは、消色可能な色材では無い通常インクやトナーで印刷される。実施形態の消色装置は、既にマークがある場合は、既存のマークとは重ならないように、且つ事前に規定された近傍位置に新規のマークを印刷する。
【００１０】
実施形態の消色装置は、シート上にマークが規定数（例えば５つ）あるか否かを判定する。規定数以上ある場合、消色処理を施しても像が残る可能性があるため、実施形態の消色装置は、再利用不可シートとして扱い、再利用不可トレイへ搬送する。
【００１１】
実施形態の消色装置は、マークの印刷処理を行う際、シートの端部を検出して印字位置のズレ量を計測し、シート端部から決まった位置にマークを印刷する。実施形態の消色装置は、計測したズレ量に従い、マークを印刷する印刷部の出力ノズルの位置を調整する。シートずれを検知してマーク印刷位置を補正するため、搬送ずれの有無にかかわらず、マークの印刷位置を規定位置に揃えることができる。これにより、搬送路への誤印字が無くなり、後続のシートを汚すこともなくなる。またシート上のマーク位置を規定位置に揃えることができるため、マークの読取りの検出が容易となり、検出精度も向上する。
【００１２】
実施形態の消色装置は、マークが既に印刷されている場合、この既存のマークの位置に基づき、色材出力ノズルの位置を調整して新規のマークを印刷することも可能である。
【００１３】
以下、各実施形態について図面を参照しながら説明する。また以下の説明では、シートを紙媒体として説明するが、態様は限定されない。
【００１４】
図１は、消色装置の構成を説明する概略図である。消色装置１００（消去装置）は、消色可能トナーや消色可能インク等の「消色可能色材（消去可能色材）」により画像形成されたシートに対して、消色可能な色材による画像の色を消す「消色処理（消去処理）」を施す。消色可能な色材は、呈色性化合物、顕色剤、消色剤を含む。呈色性化合物は、例えばロイコ染料が挙げられる。顕色剤は、例えばフェノール類が挙げられる。消色剤は、加熱されると呈色性化合物と相溶し、顕色剤と親和性を有さない物質が挙げられる。消色可能な色材は、呈色性化合物と顕色剤との相互作用により発色し、消色温度以上の加熱により呈色性化合物と顕色剤との相互作用が絶たれるため、消色する。
【００１５】
消色装置１００は、給紙トレイ１０２、給紙部材１０４、読取部１０６、消色部１０８、マーク印刷部１０９、第１トレイ１１０、第２トレイ１１２、排出部材１１４、１１６、第１搬送路１１８、第２搬送路１２０、第３搬送路１２２、第１分岐部材１２４、第２分岐部材１２６、表示操作部１２８および制御部２００を備える。また図１では、各搬送路やその搬送方向を矢印で示しており、第１搬送路１１８を実線矢印で示し、第２搬送路１２０を破線矢印、第３搬送路１２２を一点鎖線矢印で示している。
【００１６】
給紙トレイ１０２は、再利用するためのシートを積載する。給紙トレイ１０２は、Ａ４サイズのシートを積載するものとするが、その他のサイズ（例えばＡ３サイズ、Ｂ４サイズ）のシートであってもよい。給紙トレイ１０２が積載するシートは、例えば、所定温度以上に加熱することにより消色する色材で画像形成されたシートである。給紙部材１０４は、ピックアップローラ、シート供給ローラ、およびシート供給ローラに対向配置される分離ローラ等を有し、給紙トレイ１０２上のシートを１枚ずつ消色装置１００内部の第１搬送路１１８に供給する。また、給紙トレイ１０２は、給紙トレイ１０２上のシートの有無を検知し、またシートサイズを検出する検知センサ１０３を有する。
【００１７】
第１搬送路１１８は、給紙トレイ１０２から供給されるシートを読取部１０６まで搬送し、またマーク印刷部１０９、第１トレイ１１０の排出部まで搬送する。
【００１８】
読取部１０６は、給紙トレイ１０２に対してシート搬送方向下流に位置し、第１搬送路１１８に沿って配置される。読取部１０６は、例えば、ＣＣＤ（Ｃｈａｒｇｅ  Ｃｏｕｐｌｅｄ  Ｄｅｖｉｃｅ）スキャナあるいはＣＭＯＳセンサ等の読取ユニットを有する。本実施形態では、読取部１０６は、搬送されるシートの第１面および第２面のそれぞれの画像を読み取る。すなわち、読取部１０６は、第１搬送路１１８に沿ってかつ搬送路を挟んで配置される２つの読み取りユニットから成り、搬送されるシートの画像の両面読取を可能とする。読取部１０６が読み取った画像は、後述する記憶部２１０へ保存される。例えば、消色処理する前に読取部１０６が読み取ったシート上の画像を電子化して記憶部２１０へ保存することにより、後で消色された画像のデータが必要となった場合に、画像データを取得することができる。また、制御部２００は、読取部１０６が読み取った画像に基づいて、消色可能なシートか否か、あるいは、再利用可能なシートか否かを判断する。
【００１９】
読取部１０６の下流には、マーク印刷部１０９がある。マーク印刷部１０９は、シート余白部に、消色可能色材ではない通常色材を使用して矩形マークを印刷する。マーク印刷部１０９は、消色装置１００本体に固定されている。マーク印刷部１０９は、複数の出力ノズルを有しており、この複数の出力ノズルのいずれかで印刷を行うかを決定することで、シート上のマーク印刷位置を調整し、規定位置に印刷を行う。
【００２０】
読取部１０６でマークを１つも検出しなかった場合、マーク印刷部１０９は、事前に規定されている初回位置にマークを印刷する。また、読取部１０６で既存のマークが検出される場合、マーク印刷部１０９は、既存マークとは重ならないように、且つ、第１搬送路１１８の搬送方向に整列する位置に、新規のマークを印刷する。
【００２１】
マーク印刷部１０９は、本実施形態ではシートの一方面側のみに配置されている。例えば、当該一方面にはマークが無くその反対面に既存マークが１つあると検知される場合、マーク印刷部１０９は、当該一方面の初回位置にはマーク印刷を行わず２つ目の規定位置に新規マークを印刷する。また例えば、反対面には既存マークは無く、当該一方面に既存マークが１つあるが、シート上下が逆転した位置にある場合、初回位置にはマーク印刷を行わず２つ目の位置に新規マークを印刷する。既存マークが複数ある場合も同様に、マーク印刷部１０９はその数に応じた規定位置に印刷する。上下逆転した位置および表裏逆転した位置それぞれに既存マークがある場合でも、マーク印刷部１０９は、検知された既存マークの数に応じた規定位置に印刷する。
【００２２】
本実施形態ではマーク印刷部１０９の印刷は通常色材を用いるものとしているが、態様によっては消色可能色材を用いても構わない。この場合、消色する温度が異なる色材で印刷させることが好ましい。また矩形に限らず、どのような形状のマークであってもよい。なお、ここでのマークとは、図形に限らず文字等の印刷も含む。また本実施形態では、識別性を向上させるためマークの色を赤色とするが、これに限られない。
【００２３】
マーク印刷部１０９の下流には、切り替え部としての第１分岐部材１２４がある。第１分岐部材１２４は、搬送されるシートの搬送方向を切り替える。第１分岐部材１２４は、第１搬送路１１８で搬送されるシートを第２搬送路１２０または第１トレイ１１０へ搬送する。第２搬送路１２０は、マーク印刷部１０９の下流に配置された第１分岐部材１２４で、第１搬送路１１８から分岐する搬送路であり、消色部１０８までシートを搬送する。また第２搬送路１２０は、読取部１０６よりもシート搬送方向上流における合流点１２１で、第１搬送路１１８に合流する。したがって、第２搬送路１２０は、読取部１０６やマーク印刷部１０９から搬送されてきたシートを、消色部１０８を経由して、再び、読取部１０６へ搬送することを可能とする。言い換えれば、消色装置１００は、給紙部材１０４から供給されたシートを、第１分岐部材１２４を制御して、読取部１０６、マーク印刷部１０９、消色部１０８、読取部１０６の順に搬送することができる。
【００２４】
第１搬送路１１８は、第１分岐部材１２４の下流に第２分岐部材１２６を有する。第２分岐部材１２６は、第１分岐部材１２４から搬送されたシートを第１トレイ１１０または第３搬送路１２２へ案内する。第３搬送路１２２は、シートを第２トレイ１１２へ搬送する。
【００２５】
消色部１０８は、搬送されるシート上に形成されている像を消す。例えば、消色部１０８は、搬送されるシートへ接触した状態で、シートを所定の消色温度まで加熱することにより、消色可能材料によりシート上に形成された画像の色を消色する。
【００２６】
消色部１０８は、シートの第１面消色用および第２面消色用の２つの熱源部を有する。これら熱源部は、電力が供給されることで発熱するヒートローラをそれぞれ有しており、第２搬送路１２０のシート搬送方向を挟むように配置される。一方の熱源部は、シートの一方の面側からシートへ当接して加熱し、他方の熱源部は、シートの他方面からシートへ当接して加熱する。これにより、シート両面を一度の処理で消色する。
【００２７】
消色装置１００本体上部に配置された表示操作部１２８は、パネル式の表示部と、表示部に積層配置されたタッチパネルおよび各種の操作キーを含んだ操作部を有する。操作キーは、例えばテンキー等を有する。ユーザは、表示操作部１２８を介して、消色の開始あるいは消色するシートの画像の読み込み等、消色装置１００の機能動作を指示する。表示操作部１２８は、消色装置１００の設定情報や動作ステータス、ログ情報、あるいはユーザへのメッセージを表示する。
【００２８】
排出部材１１４、１１６は、シートを、本体下部に上下に配置された第１トレイ１１０、第２トレイ１１２へ排出する。第１トレイ１１０は、シート上の画像が消色され、再利用可能となったシートを積載する。第２トレイ１１２は、再利用不可と判断されたシートを積載する。以下、第１トレイ１１０をリユーストレイ、第２トレイ１１２をリジェクトトレイと呼ぶ。なお、リユーストレイ１１０とリジェクトトレイ１１２は、受け入れ対象とするシートを入れ替えることも可能である。それぞれのトレイがどのようなシートを積載するかの設定、すなわち、シートの搬送先の設定は、例えば、表示操作部１２８から設定すればよい。この設定により、第２分岐部材１２６は、搬送路を切り替えて、搬送されたシートを第１トレイ１１０または第３搬送路１２２へ案内する。
【００２９】
消色装置１００は、消色装置１００内の各ハードウェアを統括的に制御する制御部２００を有する。消色装置１００の各ユニットは、制御部２００と接続され、指示信号等の送受信を行う。
【００３０】
制御部２００は、プロセッサ２０９、記憶部２１０を有する。プロセッサ２０９は、例えばＣＰＵ（Ｃｅｎｔｒａｌ  Ｐｒｏｃｅｓｓｉｎｇ  Ｕｎｉｔ）あるいはＭＰＵ（Ｍｉｃｒｏ  Ｐｒｏｃｅｓｓｉｎｇ  Ｕｎｉｔ）などの演算処理装置であり、記憶部２１０に事前に記憶されているプログラムを演算実行することで、各ハードウェアへの指示などを行う。記憶部２１０は、例えば半導体メモリを含み、各種制御プログラムを格納するＲＯＭ（Ｒｅａｄ  Ｏｎｌｙ  Ｍｅｍｏｒｙ）と、プロセッサ２０９に一時的な作業領域を提供するＲＡＭ（Ｒａｎｄｏｍ  Ａｃｃｅｓｓ  Ｍｅｍｏｒｙ）とを有する。また記憶部２１０は、ユーザデータや消色装置１００が使用する設定データなどを不揮発性に記憶するＨＤＤ（Ｈａｒｄ  Ｄｉｓｋ  Ｄｒｉｖｅ）を有する。記憶部２１０は、例えば、再利用可否の閾値とするシートの印字率、画像が消色されたか否かを判断するための濃度閾値等を格納する。これ以外にも、記憶部２１０は、読取部１０６で読取られた画像に基づき検出される消色回数を記憶する。また記憶部２１０は、読取部１０６で読み取った画像を一時的、若しくは永続的に記憶しても良い。
【００３１】
ここで、消色装置１００の全体動作について説明する。給紙トレイ１０２に積載されている消色対象シートは、第１搬送路１１８により読取部１０６まで搬送され、シートの両面が読取られる。読取られた画像データは、制御部２００の記憶部２１０に一時的、もしくは永続的に記憶される。シートは、その後マーク印刷部１０９に搬送されるが、本実施形態ではこの段階ではマーク印刷を行わない。マーク印刷部１０９を通過したシートは、第１分岐部材１２４の切り替えにより第２搬送路１２０に搬送され、第２搬送路１２０が消色部１０８までシートを搬送する。消色処理後のシートは、再度第１搬送路１１８に搬送され、読取部１０６で２回目の読取りが行われる。
【００３２】
読取部１０６で２回目の読取りが行われた後、マーク印刷部１０９は、制御部２００からの指示に従い、シート余白部にマークを印刷する。このとき、マーク印刷部１０９は、出力ノズルの識別情報やマーク位置を示した信号ないしは情報を制御部２００から受信し、示される位置にマークを印刷する。
【００３３】
一方、制御部２００は、上記のシート消色処理などを行っている間に、１回目の読取り画像データを解析して既存マークの有無を検出する。既存マークがある場合、制御部２００は、その数を取得する。制御部２００は、マークの数に応じた位置に印刷するよう、ノズルの識別情報やその位置情報をマーク印刷部１０９に出力するとともに、マークの数が規定値以上あるか否かを判定する。マークの数が規定値未満である場合、すなわち、再利用回数が規定回数に達していない場合、当該シートは再利用可能であるため、制御部２００は、第２分岐部材１２６を動作させてリユーストレイ１１０にシートを搬送する。マークの数が規定値以上である場合、これ以上再利用すると像残りが生ずる可能性があるため、制御部２００は、第２分岐部材１２６および第３搬送路１２２を動作させてリジェクトトレイ１１２にシートを搬送する。
【００３４】
また制御部２００は、２回目の読取り画像データ（消色処理後の画像データ）を解析して、残像の有無を判定する。さらに制御部２００は、シートの状態（ステイプル跡の有無やホールパンチ孔の有無、シート折れなど）を、１回目もしくは２回目の読取り画像データを用いて解析する。制御部２００は、上記の再利用回数に加え、シートの状態解析や残像判定結果に従い、当該シートが再利用可能か否かを判定する。制御部２００は、この判定結果に応じてリユーストレイ１１０、リジェクトトレイ１１２のいずれかにシートを搬送するよう制御する。
【００３５】
シートは、シート状態などに起因して、また経時使用による搬送路の摩耗などにより、搬送中にずれることがある。この場合、マーク印刷部１０９はこのずれを補正してマークを印刷する必要がある。以下、このマーク印刷部１０９の補正動作の詳細について説明する。また以下の説明では、図１のＹ軸方向における紙面手前側を消色装置のフロント側とし、紙面奥側を消色装置のリア側として説明する。
【００３６】
図２に、搬送ずれを伴わない場合のマーク印刷部１０９とシートとの位置関係を示し、図３に、図２の場合のマーク印刷部１０９の色材出力ノズルの位置を示す。本実施形態では、第１搬送路１１８の設計上もしくは実装上の中心ラインから、Ｙ軸フロント側方向のＡ４サイズ幅半分（図２のシート搬送基準幅、２１０ｍｍ／２＝１０５ｍｍ）の位置に、シート端部の基準となる線（エッジ基準線）を設けている。マーク印刷部１０９は、フロント側の側壁が、このエッジ基準線に位置するように装置筺体に固定されている。またマーク印刷部１０９の出力ノズルは、図３に示すようにＹ軸方向（搬送方向と直交する方向）に１２個整列して並んでおり、この１２個の中で連続した６個分が使用される（図３の黒丸表記）。出力ノズルは、印刷する範囲よりもＹ軸方向余分に、すなわち、印刷する際に使用するノズルの個数よりも余分に設けられている。また、出力ノズルの間隔を本例では０．５ｍｍとなっている。
【００３７】
図２の例のように、搬送シートのフロント側端部がエッジ基準線の直上に位置する、もしくは許容範囲内に位置する場合、図３に示すように、中央に位置する出力ノズル４〜９が使用される。
【００３８】
また、図４に示すようにシートがリア側にずれて搬送される場合、ノズル位置は、相対的に搬送シートに対してフロント側に位置することとなる。この状態で、中央に位置する出力ノズル４〜９が使用されると、マーク印刷がフロント側に寄り、規定位置から外れることになる。よって本実施形態では、このズレ量分、出力ノズルをシートが寄っているリア側にシフトさせる。図５は、リア側に搬送ずれが１．０ｍｍ程度生じている場合の出力ノズル状態を示すものである。ノズルの間隔を０．５ｍｍとしているため、１．０ｍｍずれている場合、図５に示すように中央位置から２つ分リア側にシフトしたノズル６〜１１が使用される。
【００３９】
図６、図７は、搬送シートがフロント側に１．５ｍｍ程度ずれている場合の位置関係と出力ノズルの状態を示している。シートが１．５ｍｍ程度フロント側にずれているため、この場合、出力ノズルを中心位置から３つ分フロント側にシフトしたノズル１〜６を使用する。このように、本実施形態では、搬送されるシートが、ノズルの１間隔分リア側若しくはフロント側にずれる毎に、ノズル１つ分、リア側若しくはフロント側にシフトさせて色材を出力する。
【００４０】
また、図２、図４、図６に示すように、シートが既に再利用されており、既存マークがある場合、既存マークの印刷位置に基づきズレ量を算出してもよい。既存マークが１つのみの場合、当該マークのフロント側端部、若しくはリア側端部の辺の位置を求める。制御部２００は、この求めた辺の位置が、事前に定義されている基準からどの程度ずれているかを算出して、搬送シートのズレ量を算出する。既存マークが複数ある場合、いずれか１つのマークについてのフロント側端部、若しくはリア側端部の辺の位置と、基準とを比較してもよい。また既存マークが複数ある場合に関して、複数の既存マークの一方側端部をそれぞれ検出し、これら既存マークの指標や代表となるライン（例えば平均値ライン）を算出し、この指標ラインと基準とを比較してもよい。
【００４１】
このように、既存マークがある場合は、シートのエッジではなく既存マークの位置と基準とを比較することで、検知対象領域をシート全面からマーク印刷部分のみとすることができ、演算時間を削減できる。また、シート端部を用いてズレ量を検出することで、マーク印刷部を実装する際の据え付け誤差や経時使用劣化などに起因する搬送ずれを主に検出できる。また既存マークを用いてズレ量を検出することで、主に、シートの状態に起因する搬送ずれを検出できる。
【００４２】
図８は、消色装置１００がマークを印刷するときの動作例を示すフローチャートである。図８のフローチャートでの制御部２００の動作は、記憶部２１０に事前に導入されているプログラムをプロセッサ２０９が演算実行することで実現される。また図８のフローチャートは、シート１枚ごとに実行される。尚、図８のフローチャートにおいて、ＡＣＴ００１は、給紙トレイ１０２から給紙された直後の１回目の読取り動作である。またＡＣＴ００２からＡＣＴ００６若しくはＡＣＴ００８までは、第２搬送路１２０でのシート搬送や消色部１０８での消色処理などが行われている間に実行される。
【００４３】
まず、読取部１０６がシートを読み取る（ＡＣＴ００１）。読取られた画像データは、記憶部２１０に記憶される。制御部２００は、画像データの中に既存のマークがあるか否かを判定する（ＡＣＴ００２）。制御部２００は、従前のパターンマッチング技術やエッジ検出技術などを用い、余白部の規定範囲内にマークに相当する図柄があるかを判定する。既存マークがある場合（ＡＣＴ００２、Ｙｅｓ）、制御部２００は、既存マークのリア側若しくはフロント側の辺を抽出してその位置を特定する（ＡＣＴ００４）。制御部２００は、例えばエッジ検出技術を用いて既存マークの辺を抽出し、この抽出した位置を記憶部２００に記憶させる。尚、この場合の位置は、画像平面のＸ、Ｙ値で示されるピクセル値とする。一方、既存マークが無い場合（ＡＣＴ００２、Ｎｏ）、制御部２００は、シート端を抽出してその位置を特定する（ＡＣＴ００３）。ＡＣＴ００３もＡＣＴ００４と同様に、制御部２００は、例えばエッジ検出技術を用いて端部を抽出し、このシート端部のピクセル値を記憶部２１０に記憶される。
【００４４】
制御部２００は、シート搬送によるずれの有無を判定する（ＡＣＴ００５）。制御部２００は、ＡＣＴ００３若しくはＡＣＴ００４で特定される位置（ピクセル値）と、事前に定義された基準となる位置（ピクセル値）とを比較する。記憶部２１０には、マーク位置用の基準値とシート端部用の基準値の２つの基準値が事前に導入されている。ＡＣＴ００５では、制御部２００は、対応する基準値を記憶部２１０から取得し、比較処理を行う。
【００４５】
ずれが無い場合、すなわち、ＡＣＴ００３若しくはＡＣＴ００４で取得されるピクセル値が基準のピクセル値と一致している場合（ＡＣＴ００５、Ｎｏ）、制御部２００は、出力ノズルを中央のデフォルト位置（図３に示す状態）となるように設定し（ＡＣＴ００６）、印刷指示をマーク印刷部１０９に行う。ここでは、制御部２００は中央部に位置するノズルの識別番号（本例では４〜９）をマーク印刷部１０９に出力し、印刷指示を行う。マーク印刷部１０９は、指示された色材出力ノズルで矩形マークの印刷を開始する（ＡＣＴ００９）。
【００４６】
一方、ずれが有る場合（ＡＣＴ００５、Ｙｅｓ）、ＡＣＴ００３若しくはＡＣＴ００４で取得されるピクセル値と、基準のピクセル値との差分を算出することで、ズレ量を計測する（ＡＣＴ００７）。ここでは、画像平面のＸ成分（シート搬送方向に直交する方向成分）のピクセル値のみを用いて差分値を算出してもよいが、画像平面のＹ成分（シート搬送方向成分）を考慮してもよい。制御部２００は、差分のピクセル値を記憶部２１０に記憶させる。
【００４７】
制御部２００は、ズレ量をもとに、いずれのノズルで印刷するかを決定する（ＡＣＴ００８）。記憶部２１０には、ズレ量（ここではピクセル値）と、ノズルの識別番号とを対応付けて１つのレコードとするテーブルが事前に記憶されている。制御部２００は、このテーブルを用いてズレ量から色材出力ノズルを決定する。ズレ量が規定範囲内である場合、シフトせずにデフォルトの中央部のノズルが選定される。本例の場合、０．５（ｍｍ）／２程度の数値、例えば±０．２ｍｍもしくは±０．３ｍｍをピクセル換算した範囲を規定範囲とする。尚、テーブルを使用するのではなく、事前に定義された計算式や条件式などを用いて、ズレ量から色材出力ノズルを決定してもよい。
【００４８】
制御部２００は、選定したノズルの識別番号をマーク印刷部１０９に出力し、印刷指示を行う。これにより、マーク印刷部１０９は指定されたノズルで印刷を開始する（ＡＣＴ００９）。
【００４９】
図８のフローチャートは、シート１枚ごとに行うものとして説明したが、複数枚まとめて消色処理を行うジョブである場合、当該ジョブの最初の１枚のみ、ズレ量などを計測して色材出力ノズルを決定し、以降の同じジョブ内のシートについては、設定したノズルでマーク印刷を行う、という実装でもよい。
【００５０】
また図８のフローチャートでは、搬送速度や演算処理時間などの兼ね合いで、１回目に読取られた画像を用いてズレ量を算出しているが、２回目に読取られた画像を用いてズレ量を算出する実装でもよい。
【００５１】
上記実施形態で説明した数値等はあくまで一例であり、態様はこれに限定されない。
【００５２】
上記実施形態では、再利用回数を示す矩形マークを印刷するものとして説明したが、態様はこれに限定されない。例えばバーコードやＱＲコードなど、機械読取り可能な形式の管理コードの像を印刷する場合にも、適用可能である。
【００５３】
上記実施形態は、印刷部内にノズルを余分に組み込んでおき、この複数ノズルのうちから、色材を出力するノズルを選定する実装例である。また上記実施形態では、シートの寄っている方向と同じ方向に色材出力ノズルをシフトさせることで、位置ずれを調整している。上記実施形態のように、印刷部自体は固定とし、出力ノズルのみを切り替えてシフトさせることで、実装が複雑化することなく実装も容易となり、消費エネルギーも抑制することができる。なお、本実施形態の実装例以外にも、印刷部自体を可動にし、印刷部全体をスライド移動させることで位置ずれを補正、調整する実装も可能である。
【００５４】
上記実施形態で説明した機能は、プログラムとして提供されてもよい。このプログラムは、記憶装置と演算装置とを有する装置で実行される。このプログラムは、色材を出力する複数のノズルを有する印刷部が、事前に定義されているマーク、または機械読取り可能な形式のコード像のいずれかをシートに印刷する処理を実行させるためのプログラムである。このプログラムは、シートを撮像した画像を取得して記憶部に記憶させる処理を装置に行わせる。また、取得画像に基づき、シート搬送によって生ずるシートのズレ量を検出させる処理を装置に行わせ、このズレ量に基づき、印刷部のいずれのノズルで色材を出力するかを選定させる処理を装置に行わせる。さらに、選定したノズルで印刷を行うように印刷部を制御させる処理を装置に行わせる。
【００５５】
本実施形態では、装置内部に当該実施形態を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００５６】
以上に詳説したように、本実施形態により、搬送によるずれの影響を抑制して印刷することができる。これにより、当該印刷像に対しての検出精度を向上させることができる。
なお、上記実施形態の説明では、「消色処理」は、画像の色を消すと記述したが、画像を消去するという意味を含んで良い。すなわち、本実施の形態に記載の消色装置（消去装置）は、熱により画像の色を消す装置に限定されるものではない。例えば、光の照射によってシート上の画像の色を消す装置でも、特殊シートに形成された画像の消す装置でもよい。あるいは、消色装置（消去装置）は、シート上の画像を除去（消去）する装置であっても良い。消色装置は、シートを再利用可能にするために、シート上の画像を見えなくする構成であれば良い。
【００５７】
上記実施形態では、消色装置に適用させる例について説明したが、画像形成装置と消去装置とが一体して構成された装置に適用しても良い。
【００５８】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００５９】
１００  消色装置、１０２  給紙トレイ、１０３  検知センサ、１０４  給紙部材、１０６  読取部、１０８  消色部、１０９  マーク印刷部、１１０  第１トレイ、１１２  第２トレイ、１１４、１１６  排出部材、１１８  第１搬送路、１２０  第２搬送路、１２２  第３搬送路、１２４  第１分岐部材、１２６  第２分岐部材、１２８  表示操作部、２００  制御部、２０９  プロセッサ、２１０  記憶部。
【図１】
2015004776.tif 000003
【図２】
2015004776.tif 000004
【図３】
2015004776.tif 000005
【図４】
2015004776.tif 000006
【図５】
2015004776.tif 000007
【図６】
2015004776.tif 000008
【図７】
2015004776.tif 000009
【図８】
2015004776.tif 000010